Podtech/llm-jp-corpus-v4-ja_patent huggingface dataset:
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
透明基板上に形成された、ｎ型窒化物半導体層及びｐ型窒化物半導体層と、前記ｎ型窒化物半導体層及びｐ型窒化物半導体層上に形成された、ｎ側電極及びｐ側電極とを有するフリップチップ実装型ＬＥＤにおいて、
前記ｎ型窒化物半導体層及びｐ型窒化物半導体層上に、ｎ側電極及びｐ側電極の部分に貫通孔を有して形成された絶縁層と、前記絶縁層上に平行に形成された２個の略長方形の外部接続用電極とを有し、
前記２個の外部接続用電極は、前記貫通孔を通して前記ｎ側電極及びｐ側電極にそれぞれ接続されていることを特徴とするフリップチップ実装型ＬＥＤ。
【請求項２】
前記透明基板および前記絶縁層の側面を反射性樹脂で囲み、当該反射性樹脂から露出する前記透明基板の表面に、蛍光体層が設けられていることを特徴とする請求項１に記載のフリップチップ実装型ＬＥＤ。
【請求項３】
前記フリップチップ実装型ＬＥＤの透明基板の側面及び表面を、蛍光体を分散させた樹脂で被覆したことを特徴とする請求項１に記載のフリップチップ実装型ＬＥＤ。
【請求項４】
前記蛍光体を分散させた樹脂が前記透明基板に被せて固定した樹脂キャップであることを特徴とする請求項３に記載のフリップチップ実装型ＬＥＤ。
【請求項５】
前記絶縁層が、樹脂絶縁層であることを特徴とする請求項１から４の何れか一項に記載のフリップチップ実装型ＬＥＤ。
【請求項６】
前記ｎ側電極が、前記ｎ型窒化物半導体層のコーナー部分に形成された、前記ｎ型窒化物半導体層とｐ型窒化物半導体層との非積層部分に設けられていることを特徴とする請求項１から５の何れか一項に記載のフリップチップ実装型ＬＥＤ。
【請求項７】
透明基板の上面にｎ型窒化物半導体層及びｐ型窒化物半導体層を形成する工程と、
前記ｎ型窒化物半導体層及びｐ型窒化物半導体層上に、ｎ側電極及びｐ側電極を形成する工程と、
前記ｎ型窒化物半導体層及びｐ型窒化物半導体層上に、前記ｎ側電極及びｐ側電極の部分に貫通孔を有する絶縁層を形成する工程と、
前記絶縁層上の前記貫通孔の位置に、２個の略長方形の開口を有するメッキレジスト層を形成する工程と、
前記貫通孔及び開口内に、金属層を形成するメッキ工程と、
前記メッキレジスト層を除去して、前記開口内の前記金属層を、外部接続用電極として形成する工程とを有する
ことを特徴とするフリップチップ実装型ＬＥＤの製造方法。
【請求項８】
大判の透明基板上に、前記フリップチップ実装型ＬＥＤを複数個形成し、切断分離工程により複数のフリップチップ実装型ＬＥＤを同時に製造することを特徴とする請求項７に記載のフリップチップ実装型ＬＥＤの製造方法。
【手続補正２】
【補正対象書類名】明細書
【補正対象項目名】００１８
【補正方法】変更
【補正の内容】
【００１８】
上記目的を達成するため、本発明においては、透明基板上に形成された、ｎ型窒化物半導体層及びｐ型窒化物半導体層と、ｎ型窒化物半導体層及びｐ型窒化物半導体層上に形成された、ｎ側電極及びｐ側電極とを有するＦＣ実装型ＬＥＤにおいて、ｎ型窒化物半導体層及びｐ型窒化物半導体層上に、ｎ側電極及びｐ側電極の部分に貫通孔を有して形成された絶縁層と、絶縁層上に平行に形成された２個の略長方形の外部接続用電極とを有し、この２個の外部接続用電極は、貫通孔を通してｎ側電極及びｐ側電極にそれぞれ接続されていることを特徴とする。
【手続補正３】
【補正対象書類名】明細書
【補正対象項目名】００１９
【補正方法】変更
【補正の内容】
【００１９】
上記構成によれば、絶縁層上に２個の平行配置された略長方形の外部接続用電極を形成し、この２個の外部接続用電極を絶縁層に形成された貫通孔を通してｎ側電極及びｐ側電極に接続しているので、発光効率が高く、フリップチップ実装における位置決め及び実装のときの電気的接続の信頼性が高いＦＣ実装型ＬＥＤを提供することができる。
【手続補正４】
【補正対象書類名】明細書
【補正対象項目名】００２１
【補正方法】変更
【補正の内容】
【００２１】
また、ＦＣ実装型ＬＥＤの透明基板の側面及び表面を、蛍光体を分散させた樹脂で被覆すると良い。それに代えて、透明基板および絶縁層の側面を反射性樹脂で囲み、当該反射性樹脂から露出する前記透明基板の表面に、蛍光体層が設けられた構成としても良い。
【手続補正５】
【補正対象書類名】明細書
【補正対象項目名】００２４
【補正方法】変更
【補正の内容】
【００２４】
上記の如く、本発明によれば、絶縁層上に２個の平行配置された略長方形の外部接続用電極を形成し、この２個の外部接続用電極を絶縁層に形成された貫通孔を通して、ｎ側電極及びｐ側電極に接続しているので、発光効率が高く、フリップチップ実装における位置決め及び実装のときの電気的接続の信頼性が高いＦＣ実装型ＬＥＤ及びその製造方法を提供することができる。
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
以下を含む半導体装置：
（ａ）第１の主面および第２の主面を有する第１導電型のシリコン系単結晶からなる半導体基板；
（ｂ）前記半導体基板内の前記第２の主面側に設けられた第１の不純物濃度を有する第１の半導体層；
（ｃ）前記半導体基板内の前記第１の主面側に、前記第１の半導体層と接するように設けられ、第２の不純物濃度を有する第２の半導体層；
（ｄ）前記第１の主面側から前記第２の半導体層を貫通して前記第１の半導体層の内部に達するシリコン系プラグ、
ここで、前記プラグは、以下を含む：
（ｄ１）中央部の多結晶領域；
（ｄ２）前記第１と第２の半導体層の境界領域を含み、前記第１および第２の主面側の方向における前記境界の近傍に、前記多結晶領域の周囲を覆うように形成された固相エピタキシャル領域。
【手続補正２】
【補正対象書類名】明細書
【補正対象項目名】発明の名称
【補正方法】変更
【補正の内容】
【発明の名称】半導体装置
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
絶縁表面を有する基板上に、ゲート電極を覆うゲート絶縁層と、
前記ゲート絶縁層に接する半導体層と、
前記半導体層の一部に接し、ソース領域及びドレイン領域を形成する不純物半導体層と、
を有し、
前記半導体層において、前記ゲート絶縁層側には、微結晶半導体が形成され、前記半導体層において、前記不純物半導体層側には、非晶質構造の中に結晶領域が離散し、
前記結晶領域は、前記ゲート絶縁層側から前記不純物半導体層側に向けて、略放射状に成長した逆錐形状の結晶領域を有することを特徴とする薄膜トランジスタ。
【請求項２】
絶縁表面を有する基板上に、ゲート電極を覆うゲート絶縁層と、
前記ゲート絶縁層に接する第１半導体層と、
前記第１半導体層に積層される第２半導体層と、
前記第２半導体層の一部に接し、ソース領域及びドレイン領域を形成する不純物半導体層と、
を有し、
前記第１半導体層は、分散された微結晶半導体または網状の微結晶半導体であり、
前記第２半導体層は、非晶質構造の中に結晶領域を有する半導体層で形成され、
前記結晶領域は、前記ゲート絶縁層側から前記不純物半導体層側に向けて、略放射状に成長した逆錐形状の結晶領域を有することを特徴とする薄膜トランジスタ。
【請求項３】
請求項２において、前記逆錐形状の結晶領域は、前記第１半導体層及び前記第２半導体層の界面から前記第２半導体層が堆積される方向に向けて、略放射状に成長した逆錐形状の結晶領域であることを特徴とする薄膜トランジスタ。
【請求項４】
請求項１乃至３のいずれか一において、前記結晶領域は、粒径が１ｎｍ以上１０ｎｍ以下の結晶粒を有することを特徴とする薄膜トランジスタ。
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
プロセス制御システムにおけるプロパティを結合する方法であって、
構成要素のプロパティに結合型を関連付け、
前記結合型に関連付けられている、プロパティに関する複数の値を読み出し、
ユーザに複数の値の少なくともいくつかを提示し、
前記複数の値の少なくともいくつかからユーザにより選択された値を受け取り、
前記ユーザにより選択された値を構成要素に結合するための結合参照を生成すること、
を含む方法。
【請求項２】
前記ユーザにより選択された値をエディタのローカルメモリに格納し、
前記構成要素のプロパティに関する更新済み結合参照を読み込み、
前記エディタのローカルメモリにおけるユーザにより選択された値を、更新済み結合参照からの更新済みの値に置き換えること
をさらに含む、請求項１に記載の方法。
【請求項３】
前記構成要素が、プロセス制御システムにおける装置、設備、又は機能のいずれかを描写表現するグラフィック要素であることを特徴とする、請求項２に記載の方法。
【請求項４】
前記ユーザにより選択された値が、プロセス制御システムにおける装置、設備、又は機能のいずれかとインターフェース接続するように構成される制御モジュールを示す制御モジュール識別子値であることを特徴とする、請求項３に記載の方法。
【請求項５】
前記ユーザにより選択された値が有効な結合参照を生成するために使用できることを検証することをさらに含む、請求項４に記載の方法。
【請求項６】
ユーザに提示される前記複数の値の少なくともいくつかが、そのそれぞれが、部分的なユーザ入力と一致するかどうかに基づいて提示されることを特徴とする、請求項５に記載の方法。
【請求項７】
前記部分的なユーザ入力が、文字列、数値、又は記号の少なくとも一つを含むことを特徴とする、請求項６に記載の方法。
【請求項８】
前記複数の値の少なくともいくつかを表示する自動提案リストを使用して、前記複数の値を提示することをさらに含む、請求項７に記載の方法。
【請求項９】
前記ユーザにより選択された値が、有効な結合参照ではないことを示す標示を表示することをさらに含む、請求項８に記載の方法。
【請求項１０】
プロセス制御システムにおけるプロパティを結合する装置であって、
構成要素の複数のプロパティに関する複数の値を、プロパティに関連付けられている結合型に基づいて読み出すための結合提供機構と、
ユーザに複数の値の少なくともいくつかを提示し、前記複数の値の少なくともいくつかからユーザにより選択された値を受け取り、前記ユーザにより選択された値を構成要素に結合するための結合参照を生成するための、要素エディタと、
を備える装置。
【請求項１１】
前記要素エディタが、
前記ユーザにより選択された値を要素エディタのローカルメモリに格納し、
構成要素のプロパティに関する更新済みの結合参照を読み込み、
前記ローカルメモリにおけるユーザにより選択された値を、更新済みの結合参照からの更新済みの値に置き換えることをさらに特徴とする、請求項１０に記載の装置。
【請求項１２】
前記構成要素が、プロセス制御システムにおける装置、設備、又は機能のいずれかを描写表現するグラフィック要素であることを特徴とする、請求項１１に記載の装置。
【請求項１３】
前記ユーザにより選択された値が、プロセス制御システムにおける装置、設備、又は機能のいずれかとインターフェース接続するように構成される制御モジュールを示す制御モジュール識別子値であることを特徴とする、請求項１２に記載の装置。
【請求項１４】
前記要素エディタが、前記ユーザにより選択された値が有効な結合参照を生成するために使用できることを検証することをさらに特徴とする、請求項１３に記載の装置。
【請求項１５】
前記要素エディタが、前記複数の値の少なくともいくつかのそれぞれが部分的なユーザ入力と一致するかどうかに基づいて、ユーザに複数の値の少なくともいくつかを提示することを特徴とする、請求項１４に記載の装置。
【請求項１６】
プロセス制御システムにおいて結合参照を更新する方法であって、
構成要素に関連付けられている更新済みの結合参照を読み出し、
前記構成要素、および前記構成要素に関連付けられている第１の識別子を読み込み、
更新済み結合参照の更新済み識別子を前記構成要素に関連付けること、
を含む方法。
【請求項１７】
更新済みの識別子を構成要素に関連付けることには、第１の識別子を更新済みの識別子に置き換えることを含むことを特徴とする、請求項１６に記載の方法。
【請求項１８】
前記第１の識別子がプロセス制御モジュールの前回の識別子を表し、更新済みの識別子がプロセス制御モジュールの現在の識別子を表すことを特徴とする、請求項１７に記載の方法。
【請求項１９】
前記構成要素がグラフィック要素であることを特徴とする、請求項１８に記載の方法。
【請求項２０】
前記構成要素に関連付けられている第１の識別子が失効している可能性があることを示すために、結合参照のリストに、前記構成要素に関連付けられている結合参照識別子を格納することをさらに含む、請求項１９に記載の方法。
【請求項２１】
結合参照のリストに格納された結合参照識別子に基づいて更新済みの結合参照の更新済みの識別子を読み出すことをさらに含む、請求項２０に記載の方法。
【請求項２２】
前記構成要素を読み込むことには、グラフィックエディタに関連付けられているローカルメモリから前記構成要素のメモリモデルを読み出し、前記構成要素のメモリモデルをローカルメモリに読み込むことを含むことを特徴とする、請求項２１に記載の方法。
【請求項２３】
前記構成要素が、構成要素を読み込むようにとのユーザ要求に応答して読み込まれることを特徴とする、請求項２２に記載の方法。
【請求項２４】
プロセス制御システムにおいて結合参照を更新する装置であって、
構成要素に関連付けられている更新済みの結合参照を読み出す結合提供機構と、
前記構成要素、および前記構成要素に関連付けられている第１の識別子を読み込むためのエディタ・オブジェクトと、
前記構成要素に更新済みの結合参照の更新済みの識別子を関連付ける結合参照オブジェクトと、を備える装置。
【請求項２５】
前記結合参照オブジェクトが、第１の識別子を更新済みの識別子に置き換えることにより前記構成要素に更新済みの識別子を関連付けることを特徴とする、請求項２４に記載の装置。
【請求項２６】
前記第１の識別子がプロセス制御モジュールの前回の識別子を表し、更新済みの識別子がプロセス制御モジュールの現在の識別子を表すことを特徴とする、請求項２５に記載の装置。
【請求項２７】
前記構成要素がグラフィック要素であることを特徴とする、請求項２６に記載の装置。
【請求項２８】
前記構成要素に関連付けられている第１の識別子が失効している可能性があることを示すために、結合参照のリストにおいて構成要素に関連付けられている結合参照識別子を格納するための結合参照のリストをさらに備える請求項２７に記載の装置。
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
第１のサーバ及び第１のクライアント端末からなる第１のシステムと、第２のサーバ及び第２のクライアント端末からなる第２のシステムと、におけるネットワークを介してのデータ転送方法であって、
前記第１のクライアント端末と前記第２のクライアント端末は、前記第１のサーバに記録されているデータの識別情報を共有し、
前記第２のクライアント端末は、前記第１のサーバに記録されているデータの識別情報と前記第２のサーバのネットワーク上のアドレスを示すインデックス情報とを含む、前記第１のサーバに記録されているデータの前記第２のサーバへの転送要求を生成して前記第１のシステムに送信し、
前記第１のシステムの前記第１のサーバは、前記転送要求に含まれる、前記第２のサーバのネットワーク上のアドレスを示すインデックス情報に基づいて前記第２のサーバへ前記データを送信する、
ことを特徴とするデータ転送方法。
【請求項２】
第１のサーバ及び第１のクライアント端末からなる第１のシステムと、第２のサーバ及び第２のクライアント端末からなる第２のシステムと、におけるネットワークを介してのデータ転送システムであって、
前記第１のクライアント端末は、
第１のサーバに記録されているデータの識別情報を前記第２のクライアント端末と共有する第１の情報共有手段を備え、
前記第２のクライアント端末は、
前記第１のクライアント端末と前記識別情報を前記第１のクライアント端末と共有する第２の情報共有手段と、
第１のサーバに記録されているデータの識別情報と前記第２のサーバのネットワーク上のアドレスを示すインデックス情報とを含む、前記第１のサーバに記録されているデータの前記第２のサーバへの転送要求を生成して前記第１のシステムに送信する第１の送信手段と、を備え、
前記第１のシステムの前記第１のサーバは、前記転送要求に含まれる前記第２のサーバのネットワーク上のアドレスを示すインデックス情報に基づいて前記第２のサーバへ該データを送信する第２の送信手段を備える、
ことを特徴とするデータ転送システム。
【請求項３】
第１のサーバ及び第１のクライアント端末からなる第１のシステムと、第２のサーバ及び第２のクライアント端末からなる第２のシステムと、の間でネットワークを介してのデータ転送を行う第２のクライアント端末であって、
前記第１のサーバに記録されているデータの識別情報を前記第１のクライアント端末と共有する情報共有手段と、
前記第１のシステムの前記第１のサーバが前記第２のサーバのネットワーク上のアドレスを示すインデックス情報に基づいて前記第２のサーバへ該データを送信するために、前記第２のサーバのネットワーク上のアドレスを示すインデックス情報とを含む、前記第１のサーバに記録されているデータの前記第２のサーバへの転送要求を生成して送信する送信手段と、を備える
ことを特徴とする第２のクライアント端末。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
中空で開口部を備えた筐体と、
板状または膜状の振動体とを有し、
前記開口部は前記振動体で塞がれており、
前記振動体の弾性振動の基本振動と前記筐体の中空部分の空気層のバネ成分とが連成されて発現する吸音のピークとなる周波数が、前記振動体のマスと前記筐体の中空部分の空気層のバネ成分とで構成されるバネマス系の共振周波数より低いこと
を特徴とする吸音構造。
【請求項２】
前記振動体の弾性振動の基本振動周波数が、前記振動体のマスと前記筐体の中空部分の空気層のバネ成分とで構成されるバネマス系の共振周波数の５％〜６５％の範囲内にあることを特徴とする請求項１に記載の吸音構造。
【請求項３】
前記振動体は、前記筐体に対して固定支持されていることを特徴とする請求項２に記載の吸音構造。
【請求項４】
前記筐体の中空部分の形状が直方体であり、前記開口部の形状が正方形であって、該正方形の一辺の長さをａ[ｍ]、前記振動体のヤング率をＥ[Ｎ／ｍ2]、前記振動体の厚さをｔ[ｍ]、前記振動体のポアソン比をσ、前記中空部分の厚さをＬ[ｍ]としたとき、次式の条件を満たすことを特徴とする請求項３に記載の吸音構造。
【数１】
2009205153.tif 000001
【請求項５】
前記筐体の中空部分の形状が直方体であり、前記開口部の形状が長方形であって、該長方形の一辺の長さをａ［ｍ］、該長方形において長さａの辺に直交する辺の長さをｂ［ｍ］、前記振動体のヤング率をＥ[Ｎ／ｍ2]、前記振動体の厚さをｔ［ｍ］、前記振動体のポアソン比をσ、前記中空部分の厚さをＬ［ｍ］としたとき、次式の条件を満たすことを特徴とする請求項３に記載の吸音構造。
【数２】
2009205153.tif 000002
【請求項６】
前記筐体の中空部分の形状が円柱形状であり、前記開口部の形状が円形であって、該開口部の半径をＲ［ｍ］、前記振動体のヤング率をＥ[Ｎ／ｍ2]、前記振動体の厚さをｔ［ｍ］、前記振動体のポアソン比をσ、前記中空部の厚さをＬ［ｍ］としたとき、次式の条件を満たすことを特徴とする請求項３に記載の吸音構造。
【数３】
2009205153.tif 000003
【請求項７】
前記振動体は、前記筐体に対して単純支持されていることを特徴とする請求項２に記載の吸音構造。
【請求項８】
前記筐体の中空部分の形状が直方体であり、前記開口部の形状が正方形であって、正方形の一辺の長さをａ［ｍ］、前記振動体のヤング率をＥ[Ｎ／ｍ2]、前記振動体の厚さをｔ［ｍ］、前記振動体のポアソン比をσ、前記中空部の厚さをＬ［ｍ］としたとき、次式の条件を満たすことを特徴とする請求項７に記載の吸音構造。
【数４】
2009205153.tif 000004
【請求項９】
前記筐体の中空部分の形状が直方体であり、前記開口部の形状が長方形であって、該長方形の一辺の長さをａ［ｍ］、該長方形において長さａの辺に直交する辺の長さをｂ［ｍ］、前記振動体のヤング率をＥ[Ｎ／ｍ2]、前記振動体の厚さをｔ［ｍ］、前記振動体のポアソン比をσ、前記中空部の厚さをＬ［ｍ］としたとき、次式の条件を満たすことを特徴とする請求項７に記載の吸音構造。
【数５】
2009205153.tif 000005
【請求項１０】
前記筐体の中空部分の形状が円柱形状であり、前記開口部の形状が円形であって、該開口部の半径をＲ［ｍ］、前記振動体のヤング率をＥ[Ｎ／ｍ2]、前記振動体の厚さをｔ［ｍ］、前記振動体のポアソン比をσ、前記中空部の厚さをＬ［ｍ］としたとき、次式の条件を満たすことを特徴とする請求項７に記載の吸音構造。
【数６】
2009205153.tif 000006
【請求項１１】
請求項１乃至請求項１０のいずれかに記載の吸音構造を有する音響室。
【手続補正２】
【補正対象書類名】明細書
【補正対象項目名】発明の名称
【補正方法】変更
【補正の内容】
【発明の名称】吸音構造および音響室
【手続補正３】
【補正対象書類名】明細書
【補正対象項目名】００１７
【補正方法】変更
【補正の内容】
【００１７】
また、本発明は、上記吸音構造のいずれかを有する音響室を提供する。
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
原稿台に載置された原稿を読み取る画像読取装置であって、
第１方向に沿って移動することができ、前記第１方向と直交する第２方向に長い形状で第１端部と第２端部を有するキャリッジと、
前記キャリッジに保持され、前記第２方向に長い形状を有する読取センサと、
装置本体に配され前記第１方向に沿って配されたラック歯を有するラック部材と、
前記キャリッジに回転可能に配され前記ラック歯と噛み合うピニオンギアと、
前記キャリッジに配され前記ピニオンギアを駆動するモータと、
前記第１端部の側で前記キャリッジと前記読取センサとの間に配され、前記読取センサを前記原稿台に向けて付勢する付勢部材と、
前記装置本体に配され前記キャリッジの移動を案内するガイドレールと、
前記キャリッジに配され前記ガイドレールと係合するガイド部と、
を備え、前記キャリッジが前記付勢部材の反力を受けることにより前記ガイド部は前記ガイドレールに押し付けられることを特徴とする画像読取装置。
【請求項２】
前記ガイドレールが前記原稿台側に凸部を備え、前記ガイド部は前記原稿台と反対側に前記凸部と摺動する凹部を備えることを特徴とする請求項１に記載の画像読取装置。
【請求項３】
前記凸部は前記ラック歯の近傍に配されることを特徴とする請求項２に記載の画像読取装置。
【請求項４】
前記凸部は前記ラック歯と一体に形成されることを特徴とする請求項２または３に記載の画像読取装置。
【請求項５】
前記付勢部材による反力により、前記凹部が前記凸部に押圧されることを特徴とする請求項２ないし４のいずれか１項に記載の画像読取装置。
【請求項６】
前記ガイドレールは前記原稿台側に凹部を備え、前記ガイド部は前記原稿台と反対側に前記凹部と摺動する凸部を備えることを特徴とする請求項１に記載の画像読取装置。
【請求項７】
前記凹部は前記ラック歯の近傍に配されることを特徴とする請求項６に記載の画像読取装置。
【請求項８】
前記凹部は前記ラック歯と一体に形成されることを特徴とする請求項６または７に記載の画像読取装置。
【請求項９】
前記付勢部材による反力により、前記凸部が前記凹部に押圧されることを特徴とする請求項６ないし８のいずれか１項に記載の画像読取装置。
【請求項１０】
原稿台に載置された原稿を読み取る画像読取装置であって、
第１方向に沿って移動することができ、前記第１方向と直交する第２方向に長い形状で第１端部と第２端部を有するキャリッジと、
前記キャリッジに保持され、前記第２方向に長い形状を有する読取センサと、
モータを含み、前記キャリッジを前記第１方向に沿って移動させるための駆動部、
前記第１端部の側で前記キャリッジと前記読取センサとの間に配され、前記読取センサを前記原稿台に向けて付勢する付勢部材と、
前記装置本体に配され前記キャリッジの移動を案内するガイドレールと、
前記キャリッジに配され前記ガイドレールと係合するガイド部と、
を備え、前記付勢部材の作用により、前記ガイド部は前記ガイドレールに押し付けられ、前記第１端部の側で前記読取センサは前記付勢部材によって前記原稿台に向けて押し付けられ、且つ、前記第２端部の側で前記読取センサは前記キャリッジによって前記原稿台に向けて押し付けられることを特徴とする画像読取装置。
【請求項１１】
前記ガイド部は前記第２方向において前記キャリッジの中央付近に設けられていることを特徴とする請求項１から１０のいずれか１項に記載の画像読取装置。
【請求項１２】
前記読取センサは、前記第１端部の側と前記第２端部の側にそれぞれ設けられた、前記原稿台の下面に接するスペーサを含むことを特徴とする請求項１から１１のいずれか１項に記載の画像読取装置。
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
電動役物が取り付けられた始動入賞口と、
識別情報を変動表示及び停止表示可能な識別情報表示部と、
始動入賞口への遊技球の流入に基づいて遊技内容決定乱数を取得する乱数取得手段と、
乱数取得手段が取得した遊技内容決定乱数に基づき、識別情報の停止態様である停止識別情報を決定する識別情報表示内容決定手段と、
識別情報を変動表示させた後、識別情報表示内容決定手段が決定した停止識別情報を表示する識別情報表示制御手段と、
識別情報の停止識別情報が所定態様で停止した場合、遊技者にとって有利な遊技であって当該有利な遊技が所定期間継続し得る第一特別遊技を実行し、識別情報の停止識別情報が前記所定態様とは異なる特定態様で停止した場合、第一特別遊技に係る前記所定期間よりも短い期間継続し得る第二特別遊技を実行する特別遊技移行判定実行手段と、
特別遊技の移行抽選に関連した抽選確率に関し、低確率抽選状態と低確率抽選状態よりも抽選確率が高い高確率抽選状態とが存在する状況下、低確率抽選状態から高確率抽選状態への移行又は高確率抽選状態から低確率抽選状態への移行を制御する手段であって、低確率抽選状態時には確率変動遊技フラグをオフとする一方、高確率抽選状態時には確率変動遊技フラグをオンにすると共に、単位時間当たりの電動役物の可変時間に関し、短可変時間状態と単位時間当たりの電動役物の可変時間が短可変時間状態よりも長い長可変時間状態とが存在する状況下、短可変時間状態から長可変時間状態への移行又は長可変時間状態から短可変時間状態への移行を制御する手段でもあって、短可変時間状態時には易開放状態フラグをオフとする一方、長可変時間状態時には易開放状態フラグをオンとする遊技状態移行制御手段と
を有しており、
遊技状態移行制御手段は、確率変動遊技フラグ及び易開放状態フラグがオンであるときには第一特別遊技の実行前に当該オンに係る確率変動遊技フラグ及び易開放状態フラグをオフとする一方、前記特定態様の内、高確率抽選状態移行契機とならない態様及び長可変時間状態移行契機とならない態様で停止した場合には、確率変動遊技フラグ及び易開放状態フラグの状態を変更することなく当該特定態様が停止したことに起因した第二特別遊技を実行し、当該第二特別遊技終了後も当該第二特別遊技実行前の確率変動遊技フラグ及び易開放状態フラグの状態を維持することで、当該第二特別遊技終了後に実行される遊技での特別遊技の移行抽選に関連した抽選確率及び単位時間当たりの電動役物の可変時間を当該第二特別遊技実行前の状態のままにする
よう構成されたパチンコ遊技機であって、
第一特別遊技の終了後においては、高確率抽選状態及び低確率抽選状態のいずれに移行したかに係る情報を報知すると共に、第二特別遊技の終了後においては、当該情報を非報知とし得る一方、前記特定態様の内の高確率抽選状態移行契機となる態様にて停止した場合における第二特別遊技の終了後であることを条件として、当該終了後から起算し、識別情報が変動表示を開始した後に停止表示したことを一単位とする当該一単位が所定回数実行されたことを契機として、高確率抽選状態に移行していることを視覚、聴覚、又は触覚の少なくとも一つにより遊技者に伝達可能に構成されている
ことを特徴とするパチンコ遊技機。
【手続補正２】
【補正対象書類名】明細書
【補正対象項目名】０００６
【補正方法】変更
【補正の内容】
【０００６】
本態様は、
電動役物が取り付けられた始動入賞口と、
識別情報を変動表示及び停止表示可能な識別情報表示部と、
始動入賞口への遊技球の流入に基づいて遊技内容決定乱数を取得する乱数取得手段と、
乱数取得手段が取得した遊技内容決定乱数に基づき、識別情報の停止態様である停止識別情報を決定する識別情報表示内容決定手段と、
識別情報を変動表示させた後、識別情報表示内容決定手段が決定した停止識別情報を表示する識別情報表示制御手段と、
識別情報の停止識別情報が所定態様で停止した場合、遊技者にとって有利な遊技であって当該有利な遊技が所定期間継続し得る第一特別遊技を実行し、識別情報の停止識別情報が前記所定態様とは異なる特定態様で停止した場合、第一特別遊技に係る前記所定期間よりも短い期間継続し得る第二特別遊技を実行する特別遊技移行判定実行手段と、
特別遊技の移行抽選に関連した抽選確率に関し、低確率抽選状態と低確率抽選状態よりも抽選確率が高い高確率抽選状態とが存在する状況下、低確率抽選状態から高確率抽選状態への移行又は高確率抽選状態から低確率抽選状態への移行を制御する手段であって、低確率抽選状態時には確率変動遊技フラグをオフとする一方、高確率抽選状態時には確率変動遊技フラグをオンにすると共に、単位時間当たりの電動役物の可変時間に関し、短可変時間状態と単位時間当たりの電動役物の可変時間が短可変時間状態よりも長い長可変時間状態とが存在する状況下、短可変時間状態から長可変時間状態への移行又は長可変時間状態から短可変時間状態への移行を制御する手段でもあって、短可変時間状態時には易開放状態フラグをオフとする一方、長可変時間状態時には易開放状態フラグをオンとする遊技状態移行制御手段と
を有しており、
遊技状態移行制御手段は、確率変動遊技フラグ及び易開放状態フラグがオンであるときには第一特別遊技の実行前に当該オンに係る確率変動遊技フラグ及び易開放状態フラグをオフとする一方、前記特定態様の内、高確率抽選状態移行契機とならない態様及び長可変時間状態移行契機とならない態様で停止した場合には、確率変動遊技フラグ及び易開放状態フラグの状態を変更することなく当該特定態様が停止したことに起因した第二特別遊技を実行し、当該第二特別遊技終了後も当該第二特別遊技実行前の確率変動遊技フラグ及び易開放状態フラグの状態を維持することで、当該第二特別遊技終了後に実行される遊技での特別遊技の移行抽選に関連した抽選確率及び単位時間当たりの電動役物の可変時間を当該第二特別遊技実行前の状態のままにする
よう構成されたパチンコ遊技機であって、
第一特別遊技の終了後においては、高確率抽選状態及び低確率抽選状態のいずれに移行したかに係る情報を報知すると共に、第二特別遊技の終了後においては、当該情報を非報知とし得る一方、前記特定態様の内の高確率抽選状態移行契機となる態様にて停止した場合における第二特別遊技の終了後であることを条件として、当該終了後から起算し、識別情報が変動表示を開始した後に停止表示したことを一単位とする当該一単位が所定回数実行されたことを契機として、高確率抽選状態に移行していることを視覚、聴覚、又は触覚の少なくとも一つにより遊技者に伝達可能に構成されている
ことを特徴とするパチンコ遊技機である。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
治療用超音波エネルギーを患者に供給する装置であって、
該装置は、
少なくとも一つの超音波変換器を有するスキャンヘッドであって、該少なくとも一つの超音波変換器は、該治療用超音波エネルギーを発するように構成され、該少なくとも一つの超音波変換器は、該スキャンヘッドの内部で移動するように構成されている、スキャンヘッドと、
該少なくとも一つの超音波変換器から発せられた該治療用超音波エネルギーを制御するように構成され、かつ、該スキャンヘッドの移動を制御するように構成される治療コントローラと
を備えており、
該治療コントローラは、３５Ｊ/ｃｍ2よりも大きいエネルギー束を該患者に入力するようにプログラム可能であり、
該エネルギー束は、複数の平行なスキャンラインの各々に対して供給され、該複数の平行なスキャンラインのうちの少なくとも２つのスキャンラインは、互いに部分的に重複する、装置。
【請求項２】
前記治療コントローラは、３５Ｊ/ｃｍ２〜４６０Ｊ/ｃｍ２の量の前記エネルギー束を入力するようにプログラム可能である、請求項１に記載の装置。
【請求項３】
前記治療コントローラは、９０Ｊ/ｃｍ２〜２２５Ｊ/ｃｍ２の量の前記エネルギー束を入力するようにプログラム可能である、請求項１に記載の装置。
【請求項４】
前記治療コントローラは、１０９Ｊ/ｃｍ2よりも大きい量の前記エネルギー束を入力するようにプログラム可能である、請求項１に記載の装置。
【請求項５】
前記治療コントローラは、複数の損傷フィールドを患者内に生成するようにプログラムされており、前記エネルギー束が該複数の損傷フィールドの各々に入力される、請求項１〜４のいずれか一項に記載の装置。
【請求項６】
前記損傷フィールドは、少なくとも部分的に重複する、請求項５に記載の装置。
【請求項７】
前記エネルギー束は、前記患者の組織内の温度を実質的に５６℃またはそれよりも高温に上昇させるのに十分である、請求項１〜６のいずれか一項に記載の装置。
【請求項８】
前記治療コントローラは、脂肪組織を破壊し、同時にコラーゲンを変性させる治療効果を生成するようにプログラムされている、請求項１〜７のいずれか一項に記載の装置。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
透光性を有する素材で形成され、遊技媒体が転動する遊技領域が前面に設けられた透光遊技板と、
前記遊技領域に配設され、電気により作動する電気的装置と、
透光性を有する素材で形成され、局所的に透過性が低下している部位を有し、正面視において前記透光遊技盤及び前記電気的装置の後方に配設され、遊技者側から前記遊技領域を透過して視認可能な透光装飾体と、
前記透光装飾体の後方に配設され、前記電気的装置との間で電気的に入力または出力を行う制御手段と、
前記透光装飾体に後方から光を照射する光投射手段と、
前記電気的装置と前記制御手段とを電気的に接続する電気配線と、を具備する遊技機であって、
前記電気配線の少なくとも一部が、正面視において前記透光装飾体と前記光照射手段とが重なる位置に配設されている
ことを特徴とする遊技機。
【請求項２】
透光性を有する素材で形成され、遊技媒体が転動する遊技領域が前面に設けられた透光遊技板と、
前記遊技領域に配設され、電気により作動する電気的装置と、
透光性を有する素材で形成され、段状に前後に起伏のある形状を呈する段部を有し、正面視において前記透光遊技盤及び前記電気的装置の後方に配設され、遊技者側から前記遊技領域を透過して視認可能な透光装飾体と、
前記透光装飾体の後方に配設され、前記電気的装置との間で電気的に入力または出力を行う制御手段と、
前記透光装飾体に後方から光を照射する光投射手段と、
前記電気的装置と前記制御手段とを電気的に接続する電気配線と、を具備する遊技機であって、
前記電気配線の少なくとも一部が、正面視において前記透光装飾体と前記光照射手段とが重なる位置に配設されている
ことを特徴とする遊技機。
【誤訳訂正書】
【提出日】平成24年9月12日(2012.9.12)
【誤訳訂正１】
【訂正対象書類名】明細書
【訂正対象項目名】００３４
【訂正方法】変更
【訂正の内容】
【００３４】
所望のケーシング用の繊維プリフォームを得るために、繊維織物３０は、図７のマンドレル４０などのマンドレル上の重ね合わせられた層または巻き付け部に巻き付けられる。
【誤訳訂正２】
【訂正対象書類名】明細書
【訂正対象項目名】００３７
【訂正方法】変更
【訂正の内容】
【００３７】
図８は、マンドレル４０の上に複数の層として繊維織物３０を巻き付けた後に得られる繊維プリフォーム５０の断面図である。層または巻き付け部の数は、所望の厚さおよび繊維織物の厚さの関数であり、２以上であることが好ましい。その長手方向端部に隣接する領域において、繊維織物は、長手方向端部から漸進的に増大する厚さを与えられ得、次に、末端部分が正反対にあり、それによって、一旦巻き付けられた織物の端部付近で著しく余分な厚さを生じることを回避することを可能にするように、繊維織物の長さが選択され得る。
【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
素子分離にシャロートレンチ構造を用いたＥＳＤ保護素子を有する半導体装置であって、
前記ＥＳＤ保護素子は、Ｐ型シリコン基板の表面に設けられており、
中央に配置された外部接続端子からの信号を受けるＮ型の領域と、
前記外部接続端子からの信号を受けるＮ型の領域の側面ならびに底面を囲むように配置されたＰ型の領域と、
前記Ｐ型の領域の側面および底面を囲むように配置された埋め込みＮ型の領域と、
前記埋め込みＮ型の領域の周囲に配置されたＰ型の基板端子領域と、
前記Ｐ型の基板端子領域の周囲に配置されたトレンチ分離領域と、
を有することを特徴とする半導体装置。
【請求項２】
前記ＥＳＤ保護素子の前記外部接続端子からの信号を受けるＮ型の領域と接する前記Ｐ型の領域は、前記外部接続端子からの信号を受けるＮ型の領域に前記半導体装置の電源電圧より高い電圧が印加された際に、前記外部接続端子からの信号を受けるＮ型の領域と、前記埋め込みＮ型の領域とがパンチスルーして導通する濃度および幅で形成されている請求項１記載の半導体装置。
【請求項３】
前記埋め込みＮ型の領域のＮ型の不純物濃度は、前記Ｐ型の領域のＰ型の不純物濃度より高い請求項１記載の半導体装置。
【請求項４】
前記Ｐ型の領域と、前記埋め込みＮ型の領域とは、共通の基板電位に固定されている請求項１記載の半導体装置。
【請求項５】
前記外部接続端子からの信号を受けるＮ型の領域、および前記Ｐ型の領域、および前記埋め込みＮ型の領域、および前記Ｐ型の基板端子領域は、同心円状に配置されている請求項１記載の半導体装置。
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
基板と、該基板上に形成され発光層を含む半導体層と、該半導体層に接続するバンプとを備える半導体発光素子において、前記バンプは前記半導体層側から金バンプ部、錫層、金層が積層したものであることを特徴とする半導体発光素子。
【請求項２】
前記錫層の厚さが１〜２μｍであり、前記金層の厚さが０．５〜１μｍであることを特徴とする請求項１に記載の半導体発光素子。
【請求項３】
基板と、該基板上に形成され発光層を含む半導体層と、該半導体層に接続するバンプとを備え、
前記バンプが前記半導体層側から金バンプ部、錫層、金層が積層したものである半導体発光素子の、
前記金バンプ部、前記錫層、及び前記金層をそれぞれ順番に電解メッキ法で形成したことを特徴とする半導体発光素子の製造方法。
【請求項４】
前記錫層の厚さが１〜２μｍであり、前記金層の厚さが０．５〜１μｍであることを特徴とする請求項３に記載の半導体発光素子の製造方法。
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
車両に搭載され、当該車両の運行データを採取して記録媒体に記録するデジタル式運行記録計と、
運送会社に設けられ、前記記録媒体に記録された荷物情報を含む運行データを取り込み、通信ネットワークを介してセンターへ送信する第１の端末装置と、
荷物の配送を依頼した荷主側に設けられた第２の端末装置と、
前記センターに設けられ、複数の運送会社の第１の端末装置から送信されてきた運行データに基づいて運送会社別の運行管理帳票のデータおよび荷物配送状況のデータを作成する、各運送会社に共通のデータ処理装置と、を備え、
前記第１の端末装置は、前記記録媒体から取り込んだ運行データを記憶する記憶部と、前記通信ネットワークに接続される第１の通信部とを有し、
前記第２の端末装置は、前記通信ネットワークを介して、前記データ処理装置に接続されており、
前記データ処理装置は、運送会社ごとにあらかじめ決められたフォーマットに従って運行管理帳票のデータを作成するソフトウェアを内蔵しているとともに、作成した運行管理帳票のデータを運送会社別に格納するデータファイルと、前記通信ネットワークに接続される第２の通信部とを有し、
前記データファイルには、前記運行管理帳票のデータを構成する、少なくとも運転日報データ、乗務員別稼働実績データ、車両別稼働実績データ、および安全運転管理データがそれぞれ格納される領域と、車両の位置、積荷・積降し作業の有無、および作業時刻を含む前記荷物情報のデータが格納される荷物情報データ領域とが設けられており、
複数の運送会社の各第１の端末装置は、前記第１の通信部および前記通信ネットワークを介して、前記記憶部に記憶された運行データを前記データ処理装置へ送信し、
前記データ処理装置は、前記第２の通信部を介して前記各第１の端末装置から前記運行データを受信した後、前記ソフトウェアにより運行データを編集加工して、運送会社別の運行管理帳票のデータである運転日報データ、乗務員別稼働実績データ、車両別稼働実績データ、および安全運転管理データを作成し、作成した各データを前記データファイルのそれぞれの領域に格納し、当該データファイルに格納されている運送会社別の前記運行管理帳票のデータを、前記第２の通信部および前記通信ネットワークを介して、当該運行管理帳票に対応する運送会社の第１の端末装置へ配信し、
荷主側の前記第２の端末装置は、前記通信ネットワークを介して、前記データ処理装置へ荷物情報の要求を送信し、
前記データ処理装置は、前記第２の端末装置から前記荷物情報の要求を受信すると、前記データファイルの荷物情報データ領域に記録されている前記荷物情報を参照して、該当する荷物の配送状況のデータを前記第２の端末装置へ配信する
ことを特徴とする運行管理のデータ処理システム。
【請求項２】
請求項１に記載の運行管理のデータ処理システムにおいて、
前記データファイルには、さらに、荷主からの荷物配送依頼に基づいて作成された配車計画のデータが格納される配車計画データ領域が設けられており、
前記データ処理装置は、前記配車計画データを前記運送会社の第１の端末装置へ配信する
ことを特徴とする運行管理のデータ処理システム。
【手続補正２】
【補正対象書類名】明細書
【補正対象項目名】発明の名称
【補正方法】変更
【補正の内容】
【発明の名称】運行管理のデータ処理システム
【手続補正３】
【補正対象書類名】明細書
【補正対象項目名】０００１
【補正方法】変更
【補正の内容】
【０００１】
本発明は、車両の運行データを処理して運転日報などの各種管理帳票を出力する運行管理のデータ処理システムに関するものである。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
顔画像を含む元画像の取得手段、及び演算手段を備えた目の位置の検出システムであって、演算手段が、
元画像から、グレースケールの走査対象画像を作成する機能、該走査対象画像上で顔画像サイズの枠を走査し、該枠内の中央部に比して周辺部が低明度となる枠領域を検出する機能、検出した枠領域を目の位置の検出対象領域として設定する機能、各目の位置の検出対象領域ごとに明度が変化した複数階層のグレースケールの目の位置検出用画像を作成する機能、複数階層の目の位置検出用画像において、高明度でフェードアウトしたグレースケール画像から低明度のグレースケール画像へ漸次明度変化するのに伴い、目の位置検出用画像に漸次現れる画素の固まり領域を検出する機能、検出した画素の固まり領域のうち対となって現れたものを目の位置候補として選択する機能、及び各目の位置候補の全ての目の位置検出用画像にわたる出現度数に基づいて目の位置候補から目の位置を特定する機能を備えている目の位置の検出システム。
【請求項２】
演算装置が、走査対象画像を作成する機能として、
元画像が２５６階調の場合に、フェードイン０％の画像は全ての画素が画素値２５５を有し、フェードインｘ％の画像（但し、ｘ＞０）は、元画像において画素値が２．５５ｘ未満の画素は元画像の画素値を有し、画素値が２．５５ｘ以上の画素は一律画素値２５５を有するとしたときに、元画像に対してフェードイン２５〜３５％の画像を形成する機能を有する請求項１記載の目の位置の検出システム。
【請求項３】
演算装置が、顔画像サイズの枠内の中央部に比して周辺部が低明度となる枠領域を検出する機能として、
顔画像サイズの枠を３×３の９領域に分割し、次の(１)〜(３)の基準に基づいて該枠領域を検出する請求項１又は２記載の目の位置の検出システム。
(1)画素値２５４以下の領域の存在割合が、中央部領域に比して周囲８領域で高い
(2)画素値２５４以下の領域の存在割合が、中央部領域に比して上部中央領域で高い
(3)画素値２５４以下の領域の存在割合が、中央部領域に比して中央部左領域又は中央部右領域で高い
【請求項４】
演算装置が、全階層のグレースケールの目の位置検出用画像にわたる目の位置候補の出現度数を集積し、カウントし、ランキングして目の位置を特定する機能を有し、該目の位置を特定する機能が、最大カウントの目の位置候補の位置を目の位置とし、ただし、次の(a)〜(d)の条件、
(a)ランキング第２位の目の位置候補が、ランキング第１位の目の位置候補より上方にある場合
(b)ランキング第２位の目の位置候補の目と目の中心間距離が、ランキング第１位の目の位置候補の中心間距離より長い場合
(c)ランキング第２位の目の位置候補の左右の瞳にあたる領域が、共にランキング第１位の目の位置候補の左右の瞳にあたる位置よりも外側にある場合
(d)ランキング第１位の目の位置候補とランキング第２位の目の位置候補の縦方向の距離が、目と眉の距離程度に離れ、ランキング第１位の目の位置候補がランキング第２位の目の位置候補よりも上にある場合
のうち、(a)〜(c)の条件を全て満たした場合、あるいは(d)の条件を満たした場合には、カウント数が２番目に多かった目の位置候補の位置を目の位置と特定する請求項１〜３のいずれかに記載の目の位置の検出システム。
【請求項５】
顔画像を含む元画像から目の位置を検出する方法であって、
Ａ．元画像からグレースケールの走査対象画像を作成し、
走査対象画像上で顔画像サイズの枠を走査して該枠内の中央部に比して周辺部が低明度となる領域を目の位置の検出対象領域として検出する工程、
Ｂ．目の位置の検出対象領域ごとに明度が変化した複数階層のグレースケールの目の位置検出用画像を作成し、
複数階層の目の位置検出用画像において、高明度でフェードアウトしたグレースケール画像から低明度のグレースケール画像へ漸次明度変化するのに伴い、目の位置検出用画像に漸次現れる画素の固まり領域を検出し、
検出した画素の固まり領域のうち対となって現れたものを目の位置候補として選択し、
各目の位置候補の全ての目の位置検出用画像にわたる出現度数に基づいて目の位置候補から目の位置を特定する工程、
を有する目の位置の検出方法。
【請求項６】
工程Ａにおいて、元画像に明度補正を行って走査対象画像を作成する請求項５記載の目の位置の検出方法。
【請求項７】
工程Ａにおいて、顔画像サイズの枠として、元画像に含まれる個々の顔画像の目の間隔の最大値の２倍〜３倍を一辺とする矩形枠を設定する請求項５又は６記載の目の位置の検出方法。
【請求項８】
工程Ａにおいて、元画像が２５６階調の場合に、フェードイン０％の画像は全ての画素が画素値２５５を有し、フェードインｘ％の画像（但し、ｘ＞０）は、元画像において画素値が２．５５ｘ未満の画素は元画像の画素値を有し、画素値が２．５５ｘ以上の画素は一律画素値２５５を有するとしたときに、走査対象画像として、元画像に対してフェードイン２５〜３５％の画像を形成する請求項５〜７のいずれかに記載の目の位置の検出方法。
【請求項９】
工程Ａにおいて、走査対象画像を走査する顔画像サイズの枠を３×３の９領域に分割し、次の(1)〜(3)の基準に基づいて、該枠領域を目の位置の検出対象領域として検出する請求項５〜８のいずれかに記載の目の位置の検出方法。
(1)画素値２５４以下の領域の存在割合が、中央部領域に比して周囲８領域で高い
(2)画素値２５４以下の領域の存在割合が、中央部領域に比して上部中央領域で高い
(3)画素値２５４以下の領域の存在割合が、中央部領域に比して中央部左領域又は中央部右領域で高い
【請求項１０】
工程Ｂにおいて、全階層のグレースケールの目の位置検出用画像にわたる目の位置候補の出現度数を集積し、カウントし、ランキングして最大カウントの目の位置候補の位置を目の位置とし、ただし、次の(a)〜(d)の条件、
(a)ランキング第２位の目の位置候補が、ランキング第１位の目の位置候補より上方にある場合
(b)ランキング第２位の目の位置候補の目と目の中心間距離が、ランキング第１位の目の位置候補の中心間距離より長い場合
(c)ランキング第２位の目の位置候補の左右の瞳にあたる領域が、共にランキング第１位の目の位置候補の左右の瞳にあたる位置よりも外側にある場合
(d)ランキング第１位の目の位置候補とランキング第２位の目の位置候補の縦方向の距離が、目と眉の距離程度に離れ、ランキング第１位の目の位置候補がランキング第２位の目の位置候補よりも上にある場合
のうち、(a)〜(c)の条件を全て満たした場合、あるいは(d)の条件を満たした場合には、カウント数が２番目に多かった目の位置候補の位置を目の位置と特定する請求項５〜９のいずれかに記載の目の位置の検出方法。